(57)【要約】スレート等の屋根材で屋根を葺く作業を効率良く行うことのできる屋根材保持具、その屋根材保持具を用いた屋根の構造、及びその構築方法である。下部で屋根下地３０に取り付けられる取付部２と、該取付部２の上端部から屋根傾斜方向下位側へ延びる屋根材載置部３と、該屋根材載置部の下位側の端部から上方へ屋根材の厚み分だけ延び、その上端部が屋根の傾斜方向上位側に屈曲した屋根材係止部４とを具備してなる屋根材保持具１を用いる。この屋根材保持具１を屋根下地３０に取り付け、該屋根材保持具１の屋根材載置部３の上に屋根材２１を載置する。屋根材２１は、屋根材保持具１の屋根材係止部４により下位側にずり落ちないように受けられるとともに、屋根材係止部４の上端部が下位側端部の上面に係止して、上方に浮き上がることが規制される。【特許請求の範囲】
【請求項１】
下部で屋根下地に取り付けられる取付部と、該取付部の上端部から屋根傾斜方向下位側へ延びる屋根材載置部と、該屋根材載置部の下位側の端部から上方へ屋根材の厚み分だけ延び、その上端部が屋根の傾斜方向上位側に屈曲した屋根材係止部とを具備することを特徴とする屋根材保持具。
【請求項２】
下部で屋根下地に取り付けられる取付部と、該取付部の上端部から屋根傾斜方向下位側へ延びる屋根材載置部と、該屋根材載置部の下位側の端部から上方へ屋根材の厚み分だけ延び、その上端部が屋根傾斜方向上位側に屈曲した屋根材係止部とを具備する屋根材保持具を使用する屋根の構造であって、
複数の屋根材が屋根下地の傾斜に沿って下段の屋根材の上端部の上側に上段の屋根材の下端部が重なるように配置されており、各屋根材が、屋根下地に取り付けられた前記屋根材保持具の屋根材載置部の上に載置され、該屋根材保持具の屋根材係止部に下位側の端面が当接し、さらに該屋根材係止部の上端部が下位側端部の上面に係止する状態で保持されているとともに、上段の屋根材を保持する屋根材保持具の屋根材載置部が下段の屋根材の上面の上側に位置していることを特徴とする屋根の構造。
【請求項３】
下部で屋根下地に取り付けられる取付部と、該取付部の上端部から屋根傾斜方向下位側へ延びる屋根材載置部と、該屋根材載置部の下位側の端部から上方へ屋根材の厚み分だけ延び、その上端部が屋根傾斜方向上位側に屈曲した屋根材係止部とを具備する屋根材保持具を使用する屋根の構築方法であって、
屋根材載置部が下段の屋根材の上面の上側に位置するように前記屋根材保持具を屋根下地に取り付ける工程と、その屋根材保持具の屋根材載置部の上に載置され、該屋根材保持具の屋根材係止部に下位側の端面が当接し、さらに該屋根材係止部の上端部が下位側端部の上面に係止する状態で屋根材を保持させる工程とを含み、これらの工程を屋根の下位側から上位側へ順に行うことを特徴とする屋根の構築方法。
【発明の詳細な説明】
【技術分野】  この発明は、スレート等の屋根材で屋根を葺く際に屋根下地に屋根材を固定状態に保持させる屋根材保持具、該屋根材保持具を用いた屋根の構造、及びその構築方法に関する。
【背景技術】  日射による建物内部の温度上昇が少なく、屋根裏部の通気性を向上させることを目的とした屋根が種々提案されている（例えば、特開２００１−１４０４０９号公報、特開２００１−２９５４１７号公報）。
この種の屋根においては、上記特許公報に記載のものも含め、屋根下地と屋根材との間にスペーサを介在させて、両者間に空間を形成した構造のものが多い。その場合、屋根材として平板なスレートを用い、このスレートを釘等によりスペーサとともに屋根下地に固定する方法が一般的に採用されていた。
しかしながら、釘によるスレートの固定方法の場合、１本の釘で支えられる重量は大きくないため、１枚のスレートの固定に多数本の釘を使用するか、或いはスレートのサイズを小さくする必要があり、いずれの場合にも屋根を葺くのに手間がかかるという問題があった。また、スレートに釘を通すための穴を予め開けておかなければならないので、スレートの加工工程が多くなることや、スレート自体の強度が低下することも問題である。さらに、完成後、スレートや釘の劣化にともない、釘穴から雨水が屋根裏に浸透するおそれがあった。
そこで本発明は、スレート等の屋根材で屋根を葺く作業を効率良く行えるようにすることを目的としてなされたものであり、屋根葺き作業時に屋根材を屋根下地に固定状態に保持させるために使用する屋根材保持具、該屋根材保持具を用いた屋根の構造、及びその構築方法を提供することを課題としている。
【発明の開示】
上記課題に対して、以下の方策を講じた。すなわち、本発明にかかる屋根材保持具は、下部で屋根下地に取り付けられる取付部と、該取付部の上端部から屋根傾斜方向下位側へ延びる屋根材載置部と、該屋根材載置部の下位側の端部から上方へ屋根材の厚み分だけ延び、その上端部が屋根の傾斜方向上位側に屈曲した屋根材係止部とを具備することを特徴としている。
また、本発明にかかる屋根の構造は、下部で屋根下地に取り付けられる取付部と、該取付部の上端部から屋根傾斜方向下位側へ延びる屋根材載置部と、該屋根材載置部の下位側の端部から上方へ屋根材の厚み分だけ延び、その上端部が屋根傾斜方向上位側に屈曲した屋根材係止部とを具備する屋根材保持具を使用する屋根の構造であって、複数の屋根材が屋根下地の傾斜に沿って下段の屋根材の上端部の上側に上段の屋根材の下端部が重なるように配置されており、各屋根材が、屋根下地に取り付けられた前記屋根材保持具の屋根材載置部の上に載置され、該屋根材保持具の屋根材係止部に下位側の端面が当接し、さらに該屋根材係止部の上端部が下位側端部の上面に係止する状態で保持されているとともに、上段の屋根材を保持する屋根材保持具の屋根材載置部が下段の屋根材の上面の上側に位置していることを特徴としている。
さらに、本発明にかかる屋根の構築方法は、下部で屋根下地に取り付けられる取付部と、該取付部の上端部から屋根傾斜方向下位側へ延びる屋根材載置部と、該屋根材載置部の下位側の端部から上方へ屋根材の厚み分だけ延び、その上端部が屋根傾斜方向上位側に屈曲した屋根材係止部とを具備する屋根材保持具を使用する屋根の構築方法であって、屋根材載置部が下段の屋根材の上面の上側に位置するように前記屋根材保持具を屋根下地に取り付ける工程と、その屋根材保持具の屋根材載置部の上に載置され、該屋根材保持具の屋根材係止部に下位側の端面が当接し、さらに該屋根材係止部の上端部が下位側端部の上面に係止する状態で屋根材を保持させる工程とを含み、これらの工程を屋根の下位側から上位側へ順に行うことを特徴としている。
本発明の屋根材保持具を使用して構築された屋根は、屋根材保持具の屋根材載置部の上に載置された屋根材が、屋根材保持具の屋根材係止部により屋根傾斜の下位側へずり落ちないように規制されるとともに、屋根材係止部の上端部が屋根材の下位側端部の上面に係止し、かつ、上段の屋根材の下位側端部が下段の屋根材の上位側端部の上に重なることにより、屋根材が上方にめくり上がることが規制されるので、屋根材が適正位置に確実に保持される。このように、屋根材保持具により屋根材が確実に保持されるので、屋根材のサイズを大きくして単位屋根面積当たりの屋根材の枚数を少なくすることが可能になり、屋根葺き作業の手間を軽減することができる。
また、本発明の屋根材保持具を使用する屋根の構築方法は、屋根材保持具を屋根下地に取り付ける作業と、その屋根材保持具に屋根材を保持させる作業とを繰り返すだけであるので、比較的容易に短時間で屋根を葺くことができる。
【図面の簡単な説明】  第１図は屋根材保持具の斜視図であり、第２図は第１図におけるＡ矢視図であり、第３図はスペーサの斜視図であり、第４図は屋根材の斜視図である。また、第５図は屋根の構築工程を示す図その１であり、第６図は同その２であり、第７図は同その３であり、第８図は同その４である。さらに、第９図は屋根の一部の断面図であり、第１０図は同斜視図であり、第１１図は同平面図である。加えて、第１２図は微風時における空気の流れを示す図であり、第１３図は強風時における空気の流れを示す図である。
【発明を実施するための最良の形態】  本発明による屋根材保持具を用いて、屋根下地の上に所定の配置で並べられる屋根材を屋根下地に固定状態に保持させる。屋根下地と屋根材との間にはスペーサを介在させ、両者間に空間を形成する。これにより、通気性及び断熱性に優れ、容易かつ短時間に構築することができる屋根を実現する。
第１図及び第２図は本発明による屋根材保持具の一例を表している。この屋根材保持具１は、幅の狭い板状材（例えば鋼材）を屈曲成形したもので、取付部２と屋根材載置部３と屋根材係止部４とからなっている。取付部２の下端部２ａは、木材等に差し込みやすいように鋭利に形成されている。取付部２と屋根材載置部３との角度αは、屋根が垂線となす角度β（第５図参照）よりも若干大きく設定されている。屋根材載置部３の長さａは、後述する屋根材の重ね代の幅（例えば８ｃｍ）に相当している。屋根材係止部４は、屋根材載置部３に対してほぼ垂直に上方へ立ち上がり、その上端部４ａが屋根材載置部３と平行になるよう屈曲している。屋根材係止部４の立ち上がり部分の長さｂは、屋根材の厚み分に相当している。なお、屋根材保持材１を鋼材で成形する場合、表面に防錆用の塗装を施しておくのが好ましい。
スペーサ１１は、第３図に示すように、縦横長方形の底板部１２と、該底板部１２の横方向両端部から上方斜め内側に屈曲された屋根材支持部１３，１３とからなり、内側に縦方向両側が開口する溝状空間１４が構成されている。底板部１２の縦方向の少なくとも一方の端部には、固定具孔１５が穿設されている。スペーサ１１の縦方向の長さは、屋根材の１辺の長さとほぼ同じである。
屋根材２１は天然石やタイル等の天然素材を加工したもので、第４図に示すような長方形の薄い板状に成形されている。単純な形状であり、穴等の細工が施されていないので、加工が容易であるとともに、加工にエネルギーを浪費しない。また、天然石やタイルは耐年性があるため、途中で屋根を葺きかえる必要がなく、建物を解体後も屋根材を再利用できるという利点がある。この屋根材は、特別に加工したものでなく、市販品を利用することも可能である。
屋根の軽量化のためにはなるべく屋根材２１の肉厚が薄いことが好ましく、また、屋根葺き作業の軽減化のためにはなるべく屋根材２１の縦横のサイズが大きいことが好ましい。一定の強度を保ちつつ上記要件を満足させるには、例えば天然石の場合で、肉厚は１５〜１６ｍｍ、長方形の長辺の長さは５０〜６０ｃｍとするのが好適である。これは、一般的な瓦やスレートと比較してかなり大きいといえる。
次に、上記各材料を用いて屋根を構築する方法について説明する。第５図は本発明による屋根の構築方法が施工される屋根下地を表している。この屋根下地３０は、垂木３１の上に波板３２（第１０図参照）が溝が屋根の傾斜方向を向くように設けられ、その上に所定間隔で横桟３３が取り付けられている。横桟３３と横桟３３の間には、断熱用の炭化コルク層３４が形成されている。
まず、第６図に示すように、横桟３３に取付部２の下部を差し込んで屋根材保持具１を取り付ける。１枚の屋根材２１に付き、該屋根材２１の水平方向中央部を避けて２箇所程度に屋根保持材１を取り付けるとよい。取付部２の下端部は鋭利に形成されているので、ハンマー等で取付部２の上端部を叩くことにより、容易に屋根材保持具１を横桟３３に取り付けることができる。この屋根保持材１の取付に際しては、該屋根保持材１の屋根材載置部３が下段の屋根材２１の上に位置するように取り付ける。
次に、第７図に示すように、縦方向を屋根の傾斜方向に向けたスペーサ１１を、上端部が横桟３３の上に位置し、下端部が下段の屋根材２１の水平方向中央部の上に位置する状態に配置し、これを固定具孔１５に挿通した釘３５で横桟３３に固定する。
そして、第８図に示すように、スペーサ１１の屋根材支持部１３，１３及び屋根材保持具１の屋根材載置部３の上に屋根材２１を載置する。その際、水平方向に隣接する一対の屋根材２１，２１間に所定間隔の隙間を開け、その隙間がスペーサ１１の一対屋根材支持部１３，１３の間に位置するように並べる。また、１段ずつ屋根材２１の左右位置がずらされ、全体的には千鳥状に屋根材２１が配置される（第１０図、第１１図参照）。このように載置された屋根材２１は、その下端面が屋根材保持具１の屋根材係止部４に受けられるとともに、該屋根材係止部４の屈曲した上端部が屋根材２１の上面に係止する状態となる。また、上段の屋根材２１の下位側端部が下段の屋根材２１の上位側端部の上に所定の重ね代だけ重なった状態となる。
以上の各工程を屋根の下位側から上位側へ順に行い、屋根葺きを完成させる。第９図〜第１１図は完成した屋根の断面図、斜視図及び平面図である。各屋根材２１は、屋根材保持具１の屋根材係止部４により下位側の端面が受けられて、屋根の傾斜に沿って下位側へずり落ちることが規制され、また、上段の屋根材２１により上位側端部が上から押えられているとともに、屋根材保持具１の屋根材係止部４が下位側端部に係止することにより、上方にまくれ上がることが規制される。
このようにして葺かれた屋根は、屋根材２１と屋根下地３０とが直接接していないので、晴天時に日照によって熱せられた屋根材２１の熱が屋根下地３０に伝わりにくい。また、屋根材２１と屋根下地３０との間に空間部３６が形成され、該空間部と外部とがスペーサ１１の溝状空間１４、及び上段の屋根材２１と下段との屋根材２１の隙間３７を介して連通しているので、空間部３６内に空気の流れが生じ、屋根材２１の放熱冷却が効率的に行われる。
この放熱冷却のしくみを第１２図に基き説明する。真夏等において屋外で無風の状態に感じられても、実際には風速２〜３ｍ程度の微風が吹いている。この風は位置的にも時間的にも一定ではないので、例えば、大きい風圧を受ける位置にある隙間３７Ａ，３７Ｂから外気が空間部３６に入り、風圧の小さい位置にある隙間３７Ｄ，３７Ｅから空間部３６の空気が外部に出る。内外で気圧の差がない隙間３７からは空気の出入りがない。この空間３６を通る空気の流れによって、日照等により熱くなった屋根材２１の熱が外部に放出されるのである。空気の流れは日照時に限らず夜間にも生じるため、昼間に建物に蓄えられた熱が日没後急速に外部に放出される。
また、屋根の上に降った雨水は、その大半が上段の屋根材２１から下段の屋根材２１へと流れて下方側へ排水されるとともに、一部が屋根材２１間の隙間に流れ込みスペーサ１１の溝状空間１４を通って下方側へ排水される。台風等の強風時には、第１３図に示すように、屋根の各部にかかる風圧はほぼ一定であるため、各隙間３７Ａ〜３７Ｅにおける気圧の内外差がほとんど同じになり、空間３６を通る空気の流れが生じない。つまり、空間３６は外部と遮断された一つの独立空間となるのである。このため、屋根に強い雨が降りかかっていたとしても、その雨水が屋根材２１の空間部３６に浸入せず、屋根下地３０の腐朽や雨漏りが生じない。
この屋根の構築方法は、釘で屋根材を保持する従来の構築方法に比べて、少ない屋根材保持具１で屋根材２１を確実に保持することができ、さらに前述のように屋根材２１のサイズを大きくすることができるので、屋根葺き作業の手間が大きく軽減される。また、釘穴のない平板状の屋根材を使用するので、屋根材の加工が容易であるとともに、屋根材の強度を保てる。さらに、釘穴がないので、そこから雨水が屋根裏に浸透するおそれがない。
【産業上の利用可能性】  本発明は、個人向け住宅の屋根に限らず、集合住宅や店舗、事務所、工場等の屋根にも適用できる。
【図１】
2005088023.tif 000002
【図２】
2005088023.tif 000003
【図３】
2005088023.tif 000004
【図４】
2005088023.tif 000005
【図５】
2005088023.tif 000006
【図６】
2005088023.tif 000007
【図７】
2005088023.tif 000008
【図８】
2005088023.tif 000009
【図９】
2005088023.tif 000010
【図１０】
2005088023.tif 000011
【図１１】
2005088023.tif 000012
【図１２】
2005088023.tif 000013
【図１３】
2005088023.tif 000014
【国際調査報告】
2005088023.tif 000015
2005088023.tif 000016